(57)【要約】【課題】地上デジタル放送の再送信において、不要なＴＳＰを削除すると共に、最適な伝送レートでＴＳを作成しＩＰ網に再送信する放送再送信装置を提供する。【解決手段】放送再送信装置１００は、ＯＦＤＭ信号を受信しＴＳを復調するＯＦＤＭチューナ１０１と、ＴＳからＮＵＬＬパケットを削除するパケットフィルタ部１０２、ＯＦＤＭチューナからの情報を元にクロックを生成するクロック生成部１０３、一時的にＴＳパケットを保持するＴＳバッファメモリ１０４、ＮＵＬＬパケットを発生するＮＵＬＬパケット発生部１０５、ＴＳの速度変換を行う速度変換部１０６、ＴＳをＩＰパケット化するＩＰパケット生成部、ＩＰ網とのＩＦ処理を行うＩＰ処理部１１０で構成され、速度変換部１０６は、出力するＴＳを生成するＴＳ生成部１０７と生成したＴＳのＰＣＲを変換するＰＣＲ変換部１０８で構成される。【選択図】図１
2007214946.tif 000002
【特許請求の範囲】
【請求項１】
地上デジタル放送のＯＦＤＭ変調信号を受信してＴＳ（Ｔｒａｎｓｐｏｒｔ  Ｓｔｒｅａｍ）をＩＰパケット化して出力する放送再送信装置であって、
前記ＯＦＤＭ変調信号を受信してＴＳ及びＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）情報及びＭｏｄｅ情報及びＧｕａｒｄ  Ｉｎｔｅｒｖａｌ情報を出力する受信部と、
前記受信部から出力されるＴＳからＮＵＬＬパケットを削除するパケットフィルタ部と、
前記受信部から出力されるＴＭＣＣ情報及びＭｏｄｅ情報及びＧｕａｒｄ  Ｉｎｔｅｒｖａｌ情報に基づきクロックを生成するクロック生成部と、
前記パケットフィルタ部から出力されるＴＳを、前記クロック生成部で生成されたクロックに応じた伝送レートに変換する速度変換部と、
前記速度変換部から出力されたＴＳをＩＰパケット化するＩＰパケット生成部と
を備え、
前記速度変換部は、前記クロック生成部で生成されたクロックに基いてＴＳに含まれるＰＣＲ（Ｐｒｏｇｒａｍ  Ｃｌｏｃｋ  Ｒｅｆｅｒｅｎｃｅ）の値を変換することを特徴とする放送再送信装置。
【請求項２】
前記クロック生成部は、予め決められた周波数を発生する複数個の固定クロック生成部と、
前記受信部から出力されるＴＭＣＣ、Ｍｏｄｅ、Ｇｕａｒｄ  Ｉｎｔｅｒｖａｌ情報に応じて複数個の前記固定クロック生成部から最適なクロックを選択するクロック選択部を含むことを特徴とする請求項１記載の放送再送信装置。
【請求項３】
前記パケットフィルタ部は、出力するＴＳの種類を設定するＴＳ種別設定部と、前記受信部から出力されるＴＳを解析して前記ＴＳ種別設定部で設定された以外のＴＳをＮＵＬＬパケットに置き換えるＮＵＬＬパケット置換部とトランスポートストリームからＮＵＬＬパケットを削除するＮＵＬＬパケット削除部とを具備し、
所望のＴＳ以外は全て削除することを特徴とする請求項１または２記載の放送再送信装置。
【請求項４】
前記受信部は、所望の階層で伝送されてくるＴＳパケット以外はＮＵＬＬパケットで出力されるか、もしくは出力されないことを特徴とする請求項１から請求項３のいずれかに記載の放送再送信装置。
【請求項５】
前記速度変換部は、入力されたトランスポートストリームにＮＵＬＬパケットを多重することにより所望の伝送レートのトランスポートストリームを生成することを特徴とする請求項１から請求項４のずれかに記載の放送再送信装置。
【発明の詳細な説明】
【技術分野】
【０００１】
本発明は、地上デジタル放送をＩＰパケット化して、ＦＴＴＨ等の通信網を使って各家庭の端末に配信するＩＰ再送信に関するものである。
【背景技術】
【０００２】
近年放送のデジタル化が進んできており、それに伴いトランスポートストリーム（以下ＴＳと略す）をＩＰ化し通信網を使って伝送する形態、所謂ＩＰ放送も実用化されてきている。このような状況の中、地上デジタル放送をＩＰ化しＦＴＴＨ等の通信網を使って配信する、ＩＰ再送信の検討も開始されている。
【０００３】
一般的に通信網には、通常パソコン等の通信の情報が伝送されている。この通信網を使ってＩＰ化した放送を各家庭にまで伝送することを考えた場合、放送の伝送帯域は通常の通信で使用する帯域と比較して大きいため、できるだけ伝送帯域を削減することが望まれる。
【０００４】
一方、放送に関して、日本の地上デジタル放送はＩＳＤＢ−Ｔ方式によって実施されている。この方式ではｎ個のトランスポートストリームパケット（以下ＴＳＰと略す）からなる多重フレームを構成し、ＯＦＤＭ変調されて伝送している。この多重フレームはＯＦＤＭ信号のＡ階層、Ｂ階層、Ｃ階層の各階層のＴＳＰを伝送するために構成されるが、各階層の伝送パラメータの設定によらず一定のクロックでＴＳのインターフェースをとるために、適当な数のＮＵＬＬパケットで補完されている。そのため、受信側でＯＦＤＭ信号を復調した場合、ＮＵＬＬパケットで補完されたＴＳ、すなわち多重フレームで構成されたＴＳが出力され、このままＴＳをＩＰ化し通信網を使って各家庭に伝送した場合には、余計な伝送帯域を使用してしまうことになる。この補完されたＮＵＬＬパケットを削除して伝送する方法として、例えば特許文献１のような方法が考えられている。
【０００５】
従来技術の内容を、図５を用いて説明する。
【０００６】
図５は、ＩＳＤＢ−Ｔ用再多重装置とＩＳＤＢ−Ｔ用ＯＦＤＭ変調器間の伝送において、従来技術により多重フレームに含まれる補完されたＮＵＬＬパケットを削除して伝送する方法の一例を示している。
【０００７】
送信側装置のＴＳＰフィルタ２０１には、ＩＳＤＢ―Ｔ方式の多重フレームＴＳ信号が、ＤＶＢ―ＡＳＩ規格のｄａｔａ ｐａｃｋｅｔｓ ｆｏｒｍａｔで入力されている。本装置では、Ｆｒａｍｅ同期信号およびＴＭＣＣ、Ｍｏｄｅ、Ｇｕａｒｄ Ｉｎｔｅｒｖａｌ情報によって決定される、補完されたＮＵＬＬパケットを削除する様に、ＴＳＰフィルタ２０１を制御する。削除する補完されたＮＵＬＬパケットは、Ｆｒａｍｅ同期信号およびＴＭＣＣ、Ｍｏｄｅ、Ｇｕａｒｄ Ｉｎｔｅｒｖａｌ情報等に基づき、ＴＳＰフィルタ制御回路２０２によって決定する。なお、削除する補完されたＮＵＬＬパケットの数は、０個から全ての補完されたＮＵＬＬパケットの個数までの何れも可能である。例えば、伝送レートを最低まで下げることが目的の場合は、全ての補完されたＮＵＬＬパケットを削除することが可能である。また、伝送するＴＳＰの個数を一定の数にすることが目的の場合は、不要となる個数の補完されたＮＵＬＬパケットのみを削除することが可能である。この様な動作により、ＴＳＰフィルタ２０１の出力は、ＴＳ信号伝送路２０６で伝送されるＴＳＰの数は、多重フレームＴＳ信号のＴＳＰの数以下となる。
【０００８】
受信側装置のＴＳＰ多重回路２０４には、送信側装置の出力信号が、ＴＳ信号伝送路２０６を介して入力される。送信側装置の出力信号は、補完されたＮＵＬＬパケットが任意の個数削除されているため、ＴＳＰが削除されている箇所に新たにＮＵＬＬパケットを多重する必要がある。そこで、まず、多重するＮＵＬＬパケットを、ＮＵＬＬパケット発生器２０３で生成する。また、Ｆｒａｍｅ同期信号およびＴＭＣＣ、Ｍｏｄｅ、Ｇｕａｒｄ Ｉｎｔｅｒｖａｌ情報等に基づいて、ＮＵＬＬパケットを多重する位置を多重制御回路２０５で決定する。ＴＳＰ多重回路２０４では、ＴＳ信号伝送路２０６を介して入力される信号、ＮＵＬＬパケット発生器２０３の出力および多重制御回路２０５の出力により多重を行う。これにより、送信側装置に入力された多重フレームＴＳ信号と同じ信号が、ＴＳＰ多重回路２０４から出力される。
【０００９】
この送受信装置をＩＳＤＢ−Ｔ用再多重装置とＩＳＤＢ−Ｔ用ＯＦＤＭ変調器間に適用することで、伝送容量を削減したり、削減したＮＵＬＬパケットの代わりに補助情報等を多重することによって、伝送路の有効利用をはかっている。
【特許文献１】特開２００３−１１５８０７号公報
【発明の開示】
【発明が解決しようとする課題】
【００１０】
しかしながら、上記のような方法は、１対１で伝送できる送信局側装置間の伝送を想定した仕組みである。地上デジタル放送をＩＰ化して各家庭に再送信する用途に適用する場合に、従来技術のようにＦｒａｍｅ同期信号及びＴＭＣＣ、Ｍｏｄｅ、Ｇｕａｒｄ  Ｉｎｔｅｒｖａｌ情報を伝送することや、受信側でこれらの情報を処理する仕組みを実現することはかなり困難であり、現実的な方法ではない。
【００１１】
本発明の目的は、不要なＴＳＰを削除すると共に、ＴＭＣＣ、Ｍｏｄｅ、Ｇｕａｒｄ  Ｉｎｔｅｒｖａｌ情報を元にＰＣＲ変換を行って、最適な伝送レートのＴＳを生成し、ＩＰ網に再送信を行う放送再送信装置を提供することにある。
【課題を解決するための手段】
【００１２】
上記課題を解決するために、本発明の一実施形態の受信装置は、地上デジタル放送のＯＦＤＭ変調信号を受信してＴＳ（Ｔｒａｎｓｐｏｒｔ  Ｓｔｒｅａｍ）及びＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）情報及びＭｏｄｅ情報及びＧｕａｒｄ  Ｉｎｔｅｒｖａｌ情報を出力する受信手段と、前記受信手段から出力されたＴＳからＮＵＬＬパケットを削除するＴＳ制御手段と、前記受信手段から出力されるＴＭＣＣ情報及びＭｏｄｅ情報及びＧｕａｒｄ  Ｉｎｔｅｒｖａｌ情報によってクロックを生成するクロック生成手段と、前記ＴＳ制御手段から出力されるＴＳを、前記クロック生成手段で生成されたクロックに応じた伝送レートに変換する速度変換手段と、前記速度変換手段から出力されたＴＳをＩＰパケット化するＩＰ化手段と、ＩＰ網に出力する出力手段とを具備し、前記速度変換手段では、前記クロック生成手段で生成されたクロックを基にＰＣＲ（Ｐｒｏｇｒａｍ  Ｃｌｏｃｋ  Ｒｅｆｅｒｅｎｃｅ）変換を行なうことを特徴とする。
【００１３】
また、本発明の一実施形態の受信装置は、前記クロック生成手段は、予め決められた周波数を発生する複数個の固定クロック生成手段と、前記受信手段から出力されるＴＭＣＣ、Ｍｏｄｅ、Ｇｕａｒｄ  Ｉｎｔｅｒｖａｌ情報によって、複数個の前記固定クロック生成手段より最適なクロックを選択するクロック選択手段からなることを特徴とする。
【００１４】
また、本発明の一実施形態の受信装置は、前記ＴＳ制御手段は、出力するＴＳの種類を設定するＴＳ種別設定手段と、前記受信手段から出力されるＴＳを解析して前記ＴＳ種別設定手段で設定された以外のＴＳをＮＵＬＬパケットに置き換えるＮＵＬＬパケット置換手段とトランスポートストリームからＮＵＬＬパケットを削除するＮＵＬＬパケット削除手段とを具備し、所望のＴＳ以外は全て削除することを特徴とする。
【００１５】
また、本発明の一実施形態の受信装置は、前記受信手段は、所望の階層で伝送されてくるＴＳパケット以外はＮＵＬＬパケットで出力されるか、もしくは出力されないことを特徴とする。
【００１６】
また、本発明の一実施形態の受信装置は、前記速度変換手段は、入力されたトランスポートストリームにＮＵＬＬパケットを多重することにより所望の伝送レートのトランスポートストリームを生成することを特徴とする。
【発明の効果】
【００１７】
本発明の放送再送信装置によれば、不要なＴＳＰを削除すると共に、最適な伝送レートでＴＳを作成しＩＰ網に再送信することで、伝送に必要な帯域を極力押さえることが可能となる。
【発明を実施するための最良の形態】
【００１８】
以下、本発明の実施の形態について、図面を参照しながら説明する。
【００１９】
（実施の形態１）
図１は、本発明の実施の形態１において、地上デジタル放送をＩＰ網に再送信するための放送再送信装置のブロック構成図である。図１において、放送再送信装置１００は、ＯＦＤＭ信号を受信しＴＳを復調するＯＦＤＭチューナ１０１と、ＴＳからＮＵＬＬパケットを削除するパケットフィルタ部１０２、ＯＦＤＭチューナ１０１からの情報を元にクロックを生成するクロック生成部１０３、一時的にＴＳパケットを保持するＴＳバッファメモリ１０４、ＮＵＬＬパケットを発生するＮＵＬＬパケット発生部１０５、ＴＳの速度変換を行う速度変換部１０６、ＴＳをＩＰパケット化するＩＰパケット生成部１０９、ＩＰ網とのＩＦ処理を行うＩＰ処理部１１０で構成され、さらに、速度変換部１０６は、出力するＴＳを生成するＴＳ生成部１０７と生成したＴＳのＰＣＲを変換するＰＣＲ変換部１０８で構成されている。
【００２０】
次に、本実施の形態における放送再送信装置１００の動作について説明する。地上デジタル放送のＯＦＤＭ変調信号が、図示しないアンテナを介してＯＦＤＭチューナ１０１に入力される。ＯＦＤＭチューナ１０１では、ＯＦＤＭ変調信号を復調してＴＳを再生する。ＯＦＤＭ信号で伝送されるＴＳは、ＯＦＤＭ信号のＸ階層（Ｘ階層は、Ａ階層、Ｂ階層、Ｃ階層のいずれかを示すものとする）で伝送されるＴＳＰか、最終的にＯＦＤＭ信号としては伝送されないＮＵＬＬパケットのいずれかに属するＴＳＰで構成された多重フレームで構成されており、例えばＭｏｄｅ１、ガードインターバル１／８の場合には、Ａ階層、Ｂ階層とＮＵＬＬパケットで構成された図２に示すような多重フレームとなる（この例ではＣ階層は伝送されていない）。図２においてＴＳＰBはＢ階層のＴＳＰ、ＴＳＰAはＡ階層のＴＳＰ、ＴＳＰnullはＮＵＬＬパケットのＴＳＰであり、＃１、＃２、＃１１５２等は１多重フレーム内のＴＳＰ番号である。ＯＦＤＭチューナ１０１では、この多重フレームで構成されたＴＳが再生され出力される。
【００２１】
再生されたＴＳはパケットフィルタ部１０２でＮＵＬＬパケットが削除されてＴＳバッファメモリ１０４に一時的に蓄積される。
【００２２】
一方、ＯＦＤＭ伝送では、単位時間に伝送できるＴＳＰの数は各階層の伝送パラメータの設定に依存して多様な値を取る。このため、適切な数のＮＵＬＬパケットを補完することにより、伝送パラメータの設定によらず、一定のクロックでＴＳのインターフェースをとることができるが、このＴＳには不要なＮＵＬＬパケットが含まれていることになる。実際には、この不要なＮＵＬＬパケットを除いたＴＳＰの数が伝送できるだけの帯域があればよく、この帯域、すなわち情報レートは、ＴＭＣＣ情報、Ｍｏｄｅ、Ｇｕａｒｄ  Ｉｎｔｅｒｖａｌ情報によって求めることができる。ＩＳＤＢ−Ｔにおいて、１セグメントの情報レートは図３のように定義されている。クロック生成部１０３は、図３の情報を保持しており、ＯＦＤＭチューナ１０１からＴＭＣＣ、Ｍｏｄｅ，Ｇｕａｒｄ  Ｉｎｔｅｒｖａｌ情報を取得し、その情報から所望の情報レートに応じたクロックを生成する。例えば、キャリア変調が６４ＱＡＭで畳み込み符号が３／４、ガード比が１／８で１３セグメントが同じパラメータとした場合には、１４０４．２９（ｋｂｉｔ／ｓ）を１３倍した１８．２５５（Ｍｂｉｔ／ｓ）が求める情報レートとなる。
【００２３】
速度変換部１０６は、クロック生成部１０３から供給されたクロックによって、元の情報レートでのＴＳを生成する。この動作を具体的に説明する。まず、ＴＳバッファメモリ１０４には、ＮＵＬＬパケットが削除されたＴＳＰが保持されているが、ＮＵＬＬパケットには、補完のために付加された不要なＮＵＬＬパケットとは別に、元々のＴＳに含まれている、ＴＳとして必要なＮＵＬＬパケットがある。ＮＵＬＬパケット削除部１０２では、この元々のＴＳに含まれていた有効なＮＵＬＬパケットも削除しているため、元の情報レートでのＴＳを生成するためには、このＮＵＬＬパケットを再生する必要がある。ＴＳ生成部１０７は、まずＴＳバッファメモリ１０４をチェックし、１ＴＳＰ分以上のデータが蓄積されている場合は、ＴＳバッファメモリ１０４側にスイッチを切り替えて１ＴＳＰ分のデータを情報レートに従って読み出し、ＴＳバッファメモリ１０４にデータがない場合はＮＵＬＬパケット発生部１０５にスイッチを切り替えて１ＴＳＰ分のＮＵＬＬパケットを情報レートに従って読み出す。この動作を1ＴＳＰ毎に繰り返すことによって、必要なＮＵＬＬパケットを含んだ元の情報レートでのＴＳを再生できる。
【００２４】
再生されたＴＳは、ＰＣＲ変換部１０８でＴＳに含まれているＰＣＲ値が補正される。ＰＣＲは、ＴＳ中の所定数毎の特定パケットに添付した、送出側が持つシステムクロックの値である。この値を元に、送出側のシステムクロックの歩調に、受信側のシステムクロックの歩調を合わせている。再生されたＴＳに含まれているＰＣＲは、多重フレームで構成されたＴＳのレートに合わせて送信側で添付されている値である。しかし、受信側では情報レートでＴＳＰを受信するため、放送再送信装置において、情報レートに対応したＰＣＲ値に補正する必要がある。従って、放送再送信装置でクロック生成部１０３で生成されたクロックに応じて、情報レートに従ってＴＳＰを出力する時、ＰＣＲ変換部１０８では、そのＴＳＰのＰＣＲ部分を自己の持つシステムクロック値に置き換える処理を行う。
【００２５】
このようにして、速度変換部１０６では、クロック生成部１０３から供給されたクロックによって、元の情報レートでのＴＳが生成される。
【００２６】
速度変換部１０６で生成されたＴＳは、ＩＰパケット生成部１０９でＩＰパケット化された後、ＩＰ処理部１１０を通じてＩＰ網に送出される。
【００２７】
以上の動作により、ＯＦＤＭ変調されて伝送されてくる地上デジタル放送信号を受信し、不要なＴＳＰを削除すると共に、元の情報レートでＴＳを再構築・ＩＰ化し、ＩＰ網に再送信する、放送再送信装置を提供することができる。
【００２８】
なお、本実施の形態では、パケットフィルタ部１０２でＮＵＬＬパケットが全て削除される例を示したが、不要なＮＵＬＬパケットのみを削除する構成としてもよい。また、更に言えば、パケットフィルタ部１０２では必要な階層に含まれるＴＳＰ以外を削除する構成としてもよい。具体的な方法としては、ＴＳを解析して必要な階層以外のＴＳＰを全てＮＵＬＬパケットに置換し、その後ＮＵＬＬパケットを全て削除する構成や、或いは、指定したパケットＩＤ（ＰＩＤ）を持つＴＳＰのみを抽出するＰＩＤフィルタによって、必要な階層のＴＳＰのみを抽出する構成が考えられる。クロック生成部１０３では、所望の階層が伝送されてくるセグメント数によって、情報レートに応じたクロックを生成することで対応可能となる。これにより例えば、受信側が固定受信機の場合、固定受信サービスのみを伝送すればよく、固定受信サービスの階層以外を削除することで、より効率のよい伝送が可能となる。
【００２９】
（実施の形態２）
本発明の実施の形態２について、図４を用いて説明する。図４において、固定クロックであるａクロック１１１ａ、ｂクロック１１１ｂ、ｃクロック１１１ｃはあらかじめ決められたクロックを発生し、クロック選択部１１２は、ＯＦＤＭチューナ１０１からの情報を元に、最適なクロックの選択を行う。本実施の形態は、複数の固定クロックを用意し、最適なクロックを選択するような構成としている点で、実施の形態１とは異なっている。
【００３０】
以下、速度変換部１０６に供給するクロックの生成方法について詳細に説明する。
【００３１】
図４は、本発明の実施の形態２において、地上デジタル放送をＩＰ網に再送信するための放送再送信装置のブロック構成図であり、例えばａクロック１１１ａが１５ＭＨｚ、ｂクロック１１１ｂが２０ＭＨｚ、ｃクロック１１１ｃが２５ＭＨｚの３つのクロックが用意されている場合を示している。クロック選択部１１２では、図３に示す情報を保持しており、ＯＦＤＭチューナ１０１からＴＭＣＣ、Ｍｏｄｅ，Ｇｕａｒｄ  Ｉｎｔｅｒｖａｌ情報を元に最適なクロックを選択する。例えば、キャリア変調が６４ＱＡＭで畳み込み符号が３／４、ガード比が１／８で１３セグメントが同じパラメータとした場合には、１４０４．２９（ｋｂｉｔ／ｓ）を１３倍した１８．２５５（Ｍｂｉｔ／ｓ）が実際の情報レートとなるので、その情報レートに最適なｂクロック１１１ｂが選択され、クロックとして速度変換部１０６に供給される。
【００３２】
その他の動作については、実施の形態１と同様であるため説明を割愛する。
【００３３】
このように、実施の形態２によれば、ＴＭＣＣ、Ｍｏｄｅ，Ｇｕａｒｄ  Ｉｎｔｅｒｖａｌ情報を元に、正確に情報レートに応じたクロックを生成するような複雑な手段を用いることなく、複数の固定クロックとそれを選択する手段により、簡単な構成でクロックを生成することが可能となる。
【００３４】
なお、本実施の形態では固定クロックを３つとしたが、それ以外の個数でも何ら問題はない。
【００３５】
また、本実施の形態では、各固定クロックの値を１５ＭＨz、２０ＭＨz、２５MHｚとしたが、この他の値でも動作的には何ら問題はない。
【００３６】
また、本実施の形態では、複数の固定クロックを用意して、それを選択するような構成としたが、一つの固定クロックを用意して、クロック選択部１１２の代わりに、そのクロックをＴＭＣＣ、Ｍｏｄｅ，Ｇｕａｒｄ  Ｉｎｔｅｒｖａｌ情報を元に逓倍あるいは分周する機能を設けることで、情報レートに応じたクロックを生成する構成としてもよい。
【産業上の利用可能性】
【００３７】
本発明にかかる放送再送信装置によれば、不要なＴＳＰを削除すると共に、最適な伝送レートでのＴＳを構築できるため、ＩＰ網を利用した地上デジタル放送の再送信において、通信データと効率的に帯域を共用できる再送信システムを構築することができる。
【図面の簡単な説明】
【００３８】
【図１】本発明の実施の形態１における放送再送信装置の構成を示すブロック図
【図２】本発明の実施の形態１における多重フレームの構成の一例を示す図
【図３】ＩＳＤＢ−Ｔで定義される１セグメントの情報レートを示す図
【図４】本発明の実施の形態２における放送再送信装置の構成を示すブロック図
【図５】従来の多重フレーム伝送システムを示すブロック図
【符号の説明】
【００３９】
１００    放送再送信装置
１０１    ＯＦＤＭチューナ
１０２    パケットフィルタ部
１０３    クロック生成部
１０４    ＴＳバッファメモリ
１０５    ＮＵＬＬパケット発生部
１０６    速度変換部
１０７    ＴＳ生成部
１０８    ＰＣＲ変換部
１０９    ＩＰパケット生成部
１１０    ＩＰ処理部
１１１ａ    固定クロック
１１１ｂ    固定クロック
１１１ｃ    固定クロック
１１２    クロック選択部
【図１】
2007214946.tif 000003
【図２】
2007214946.tif 000004
【図３】
2007214946.tif 000005
【図４】
2007214946.tif 000006
【図５】
2007214946.tif 000007